(57)【特許請求の範囲】
【請求項１】
遊技盤の盤面上に形成された遊技領域から遊技者の位置する前方側とは反対側の後方側に向かう入賞領域へ遊技球を導入するために、前記遊技領域における流下方向を上下方向としその交差方向を左右方向として開口する入賞口を有し、前記遊技盤に固定される遊技機用入賞装置であって、
前記遊技盤と平行状で左右方向に延びる回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
その入賞扉の後方にて前記入賞領域に配置されるとともに、前記入賞口から導入された遊技球を前記入賞領域の左右方向中央寄りに誘導案内するために前端部に立設された複数の誘導壁と、
その誘導壁に沿って左右方向中央寄りに集められた遊技球を合流させて後方へ転動案内するために後方側に行くほど低位となした第一転動面と、その第一転動面に引き続き遊技球を分岐させて左右の端部方向へ転動案内するために左右方向外側に行くほど低位となし、少なくとも一部が前記遊技盤の厚み内に位置する第二転動面と、その第二転動面に引き続き遊技球を後方へ転動案内するために後方側に行くほど低位となした第三転動面とを含む複数の誘導通路と、
各々の誘導通路の末端部に形成されるとともに、前記遊技盤の後方において上下方向に貫通形成された複数の導出口と、
各々の誘導通路を転動する遊技球を検出するために、前記誘導通路を横切るように前記第二転動面と第三転動面との境界部分に立設して配置された遊技球通過検出用開口を有するとともに、前端部が前記誘導壁に突入固定された複数の入賞検知手段とを備え、
前記入賞扉が前記開放位置に変位したとき、前記遊技盤の盤面上に形成された遊技領域から前記入賞口を介して前記入賞領域へ導入された遊技球が、前記誘導壁に沿って左右方向中央寄りに集められて前記誘導通路を転動案内される間に、前記入賞検知手段によって入賞検知され、その後前記遊技盤の後方にて前記導出口から外部へ導出されることを特徴とする遊技機用入賞装置。
【請求項２】
前記第一転動面は前記入賞領域の左右方向中央寄りに共有形態で配置されるとともに、
前記誘導壁、第二転動面、第三転動面、導出口及び入賞検知手段は、前記第一転動面を挟んでそれぞれ左右一対ずつ配置されている請求項１に記載の遊技機用入賞装置。
【請求項３】
請求項１又は２に記載の遊技機用入賞装置が前記遊技盤に固定配置されたことを特徴とする遊技機。
【発明の詳細な説明】
【技術分野】
【０００１】
本発明は、遊技機用入賞装置及びそれを搭載した遊技機に関する。
【背景技術】
【０００２】
例えば近年のパチンコ機において、遊技盤の前面側（遊技者側）の盤面に形成される遊技領域では、抽選結果の表示やリーチアクション等の種々の演出表示を行なうために可変表示部（例えば液晶表示部）が面積拡大したり、それらの演出表示を効果的に行なうためにセンター役物や遊技機用サイドランプが大型化したりしている。また最近の遊技機に関連する規則の緩和措置等により、始動口（始動入賞装置）や大入賞口（大入賞装置）を複数備えることも実現可能となった。
【０００３】
このように遊技領域における表示部・役物等の大型化や始動口・大入賞口等の複数採用によって遊技の多様化を図ることができる。一方で、遊技領域の広さはほとんど変わらないため、遊技球を流下させるための流路の形成（例えば釘の配列）が制限されて遊技領域における限られた流路しか遊技球が流下できなくなったり、流路幅が狭くなって遊技球が遊技領域に詰まりやすくなったりすると、遊技者の遊技に対する興趣が阻害される。そのため、上記入賞装置の小型化が新たな要請として着目されつつある。
【０００４】
ところで、一般に「アタッカー」として用いられる入賞装置は、左右を長手方向とする長方形状の大入賞口が、対応する閉鎖部材（入賞扉）により開閉可能に塞がれる構造となっている。通常、入賞扉は下縁両端部が入賞装置の前面プレート（台板）等に例えばヒンジ止めされている。このような入賞扉はソレノイド等の駆動手段と揺動アーム（伝達部材）等の伝達機構とにより、大入賞口を塞ぐ閉鎖位置と、その閉鎖位置から手前側（遊技者側）に倒伏して大入賞口を開く開放位置との間で変位される。そして、大当たり時に入賞扉が開放位置に変位したとき、遊技領域を流下する遊技球は開放された大入賞口から入賞装置内部の入賞領域に導入され、入賞領域の転動面に埋設された近接スイッチ（入賞検出器）で入賞検知された後入賞装置外に導出される。
【０００５】
そこで、このような大入賞装置の上下方向の高さを短縮して小型化（薄型化）するために、入賞領域の転動面に近接スイッチの遊技球通過検出用開口を立設する試み（いわゆる縦置き式の近接スイッチ）が開示されている（特許文献１〜３参照）。
【０００６】
【特許文献１】特開２００５−２８８０４２号公報
【特許文献２】特開２００６−２３０８１０号公報
【特許文献３】特開２００６−２３９１２１号公報
【０００７】
これらに開示された技術により、大入賞装置において近接スイッチの厚みに相当する上下方向高さを短縮することは理論上可能ではある。しかし、大入賞口は左右方向に長い構造を有するため、単に縦置き式近接スイッチを入賞領域に配置するだけでは、そのスイッチが大当たり時に入賞扉の開放位置への変位に基づいて導入される多数の遊技球の流れを阻害して入賞領域での詰まり等を生じやすくなり、遊技に支障を来したり遊技に対する興趣が阻害されたりするおそれがある。
【発明の開示】
【発明が解決しようとする課題】
【０００８】
本発明の課題は、入賞装置の薄型化を図りつつ、入賞口から導入され導出口から導出される遊技球を、入賞領域において縦置き式の入賞検知手段により迅速かつ正確に入賞検知することのできる遊技機用入賞装置とそれを用いた遊技機を提供することにある。
【課題を解決するための手段及び発明の効果】
【０００９】
上記課題を解決するために、本発明の遊技機用入賞装置は、
遊技盤の盤面上に形成された遊技領域から遊技者の位置する前方側とは反対側の後方側に向かう入賞領域へ遊技球を導入するために、前記遊技領域における流下方向を上下方向としその交差方向を左右方向として開口する入賞口を有し、前記遊技盤に固定される遊技機用入賞装置であって、
前記遊技盤と平行状で左右方向に延びる回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
その入賞扉の後方にて前記入賞領域に配置されるとともに、前記入賞口から導入された遊技球を前記入賞領域の左右方向中央寄りに誘導案内するために前端部に立設された複数の誘導壁と、
その誘導壁に沿って左右方向中央寄りに集められた遊技球を合流させて後方へ転動案内するために後方側に行くほど低位となした第一転動面と、その第一転動面に引き続き遊技球を分岐させて左右の端部方向へ転動案内するために左右方向外側に行くほど低位となし、少なくとも一部が前記遊技盤の厚み内に位置する第二転動面と、その第二転動面に引き続き遊技球を後方へ転動案内するために後方側に行くほど低位となした第三転動面とを含む複数の誘導通路と、
各々の誘導通路の末端部に形成されるとともに、前記遊技盤の後方において上下方向に貫通形成された複数の導出口と、
各々の誘導通路を転動する遊技球を検出するために、前記誘導通路を横切るように前記第二転動面と第三転動面との境界部分に立設して配置された遊技球通過検出用開口を有するとともに、前端部が前記誘導壁に突入固定された複数の入賞検知手段とを備え、
前記入賞扉が前記開放位置に変位したとき、前記遊技盤の盤面上に形成された遊技領域から前記入賞口を介して前記入賞領域へ導入された遊技球が、前記誘導壁に沿って左右方向中央寄りに集められて前記誘導通路を転動案内される間に、前記入賞検知手段によって入賞検知され、その後前記遊技盤の後方にて前記導出口から外部へ導出されることを特徴とする。
【００１０】
上記遊技機用入賞装置によれば、誘導通路を横切るように遊技球通過検出用開口が立設された、いわゆる縦置き式の入賞検知手段（例えば近接スイッチ）を遊技領域に配置することにより、少なくとも入賞検知手段の厚みに相当する上下方向高さを短縮して入賞装置の薄型化を図ることができる。しかも、誘導壁、誘導通路、導出口及び入賞検知手段は、入賞領域において各々複数（例えば２つずつ）備えられている。それにより、入賞口から導入された遊技球は、入賞領域において複数の誘導壁、誘導通路等を介して合流・分岐され誘導案内される間に縦置き式の複数の入賞検知手段によって入賞検知され、複数の導出口から遊技盤の後方にて外部へ導出されるので、入賞口から導入された遊技球の流れを阻害せず入賞領域での詰まり等を生じにくくなる。したがって、入賞領域が左右方向又は前後方向に長く形成される場合であっても、入賞口から導入された遊技球を迅速かつ正確に入賞検知し、導出口から円滑に導出することができる。
【００１１】
なお、通常の大入賞装置では左右方向が長手方向となる入賞口を有するので、複数の誘導壁、誘導通路、導出口及び入賞検知手段は入賞領域においてそれぞれ左右方向に並設することが望ましいが、前後方向に並設したり、左右と前後にマトリクス状に並べてもよい。これらの誘導壁、誘導通路、導出口等は、ケーシングの内面にそれぞれ一体的に形成することができ、さらにはこれらすべてを案内部材としてケーシングと一体成形（例えば高分子材料による射出成形）してもよい。また、入賞装置における遊技球の入賞検知手段として、一般的には近接スイッチが用いられているが、遊技球通過検出用開口を有するものであれば光電スイッチ、赤外線スイッチ、超音波スイッチ、レーザースイッチ等の非接触センサを用いてもよい。        
【００１２】
さらに、「第二転動面の少なくとも一部が遊技盤の厚み内に位置する」形態として、例えば次のような場合が含まれる。
（１）第二転動面全体（全幅）が遊技盤の厚み内に位置する場合；
（２）第二転動面の幅中心が遊技盤の厚み内に位置する場合；
（３）第二転動面の幅の一部のみが遊技盤の厚み内に位置する場合；
（１）では、第二転動面上の遊技球通過検出用開口が遊技盤の厚み内に位置することになり、遊技球も遊技盤の厚み内で左右方向に移動する。一方、（２），（３）では、第二転動面上の遊技球通過検出用開口が遊技盤の厚み内には留まらなくなるので、遊技球は遊技盤の厚みから一部はみ出して左右方向に移動する。
【００１３】
なお、（１）〜（３）のいずれの場合であっても、第二転動面に続いて後方傾斜する第三転動面が設けられているため、第二転動面を転動する遊技球は第三転動面によって遊技盤後方の導出口へ誘導される。特に、（１）のように第二転動面全体が遊技盤の厚み内に位置している場合であっても、第三転動面の後方傾斜によって遊技球を遊技盤後方の導出口へ確実に誘導できる。
【００１４】
上記入賞装置において、第一転動面は入賞領域の左右方向中央寄りに共有形態で配置されるとともに、
誘導壁、第二転動面、第三転動面、導出口及び入賞検知手段は、第一転動面を挟んでそれぞれ左右一対ずつ配置されていることが望ましい。
【００１５】
一対の誘導壁、誘導通路、導出口及び入賞検知手段が入賞領域において左右方向に並設されるので、左右方向が長手方向となるように配置される入賞口を有する大入賞装置等に適用することができる。また、左右に並設された一対の誘導通路のうち第一転動面を共有化し、共有化された第一転動面を挟んで誘導壁、誘導通路の第二転動面と第三転動面、導出口及び入賞検知手段をそれぞれ左右に配置するので、誘導通路を広く確保して左右方向に（例えば第一転動面を中心として左右対称に）並設することができる。その際、入賞口から導入された遊技球を共有化された第一転動面に合流させた後左右の誘導通路（第二転動面及び第三転動面）に分岐させるので、遊技球の流れを阻害することなく各々の入賞検知手段で迅速かつ正確に入賞検知することができる。
【００１６】
具体的には、入賞検知手段の遊技球通過検出用開口の開口端面を、平面視で入賞扉及び第二転動面に対して直交状（すなわち、遊技球通過検出用開口の軸線（中心線）を入賞扉及び第二転動面と平行状）に配置することができる。これによって、平面視で第二転動面を入賞扉と平行状に配置することができ、誘導通路の前後長さ（奥行き）を短縮しつつその全長を充分に確保して、遊技球の流れを整えてから入賞検知を円滑に行える。
【００１７】
また、入賞検知手段の遊技球通過検出用開口を、その開口端面が、傾斜した第二転動面に対して直立状（すなわち、遊技球通過検出用開口の軸線（中心線）が第二転動面と平行状）に立設するように配置することができる。これによって、遊技球通過検出用開口の軸線（中心線）が第二転動面と平行状に配置されるので、第二転動面を転動する遊技球を遊技球通過検出用開口へ受け入れて、円滑に入賞検知することができる。
【００１８】
そこで、上記課題を解決するために、本発明の遊技機は、
以上のような遊技機用入賞装置が遊技盤に固定配置されたことを特徴とする。
【００１９】
これによって、入賞装置の薄型化を図りつつ、入賞口から導入され導出口から導出される遊技球を、入賞領域において縦置き式の入賞検知手段により迅速かつ正確に入賞検知することができ、興趣に富む盤面構成を有する遊技機を容易に実現することができる。
【発明を実施するための最良の形態】
【００２０】
（実施例）
以下、本発明の実施の形態を図面を参照しつつ説明する。図１は本発明に係る遊技機用入賞装置（以下、単に入賞装置ともいう）を備えたパチンコ機を例示する正面図、図２は本発明に係る入賞装置の一例を示す分解斜視図、図３は主要部の斜視図、図４は主要部の一部断面平面図である。図１に示すように、パチンコ機１（遊技機）の遊技盤２の盤面２ａ（前面）には、ほぼ左半周が内外２本の発射レール２ｂによって区画され、全体として円形の遊技領域２ｃが形成されている。遊技領域２ｃの中央には液晶表示部３が搭載され、液晶表示部３の下方（遊技領域２ｃの中央下部）に入賞装置４（大入賞装置）が配置されている。なお、液晶表示部３と入賞装置４との間には、始動入賞口を有して一対の回動翼片８ａ，８ａによって形成される電動チューリップ（以下、電チューともいう）８が配置されている。
【００２１】
本明細書において、上下方向とは遊技盤２の盤面２ａに沿う形で遊技球が流下する方向（例えば、鉛直方向）を意味する。また、左右方向とは遊技盤２の盤面２ａに沿う形で上下方向と交差する方向（例えば、水平方向）を意味し、遊技者側からみて左側、右側をいう。さらに、前後方向とは遊技盤２と交差（例えば、直交）する方向を意味し、遊技者側（手前側）が前方側であり、その反対側（奥側）が後方側となる。
【００２２】
図１及び図２に示すように、この入賞装置４は、遊技盤２に固定するための台板５を含んで構成される。この台板５は、厚さ方向（前後方向）に貫通形成されるとともに、遊技領域２ｃにおける流下方向を上下方向としその交差（例えば直交）方向である左右方向を長手方向として開口する矩形状の入賞口５ａ（大入賞口）を有する。したがって、発射レール２ｂから打ち出された遊技球（図示せず）は、遊技盤２の盤面２ａ上に形成された遊技領域２ｃから入賞口５ａを通過して後方側の入賞領域５ｂ（図４参照）へ導入される。
【００２３】
図２及び図３に示すように、入賞装置４は、入賞口５ａに対応して台板５に取り付けられる入賞扉１０（大入賞扉）と、前後方向でプランジャ２１が直線的に変位するように配置されるソレノイド２０（駆動手段）と、入賞扉１０とソレノイド２０との間に配置されプランジャ２１の駆動力を入賞扉１０に伝達する伝達機構３０とを備えている。そして、これらの入賞扉１０，ソレノイド２０，伝達機構３０は、下ケース４ａ及び上ケース４ｂに収容され、台板５に組み付けられている。なお、後述するように、下ケース４ａには、入賞装置４への入賞球を検知するための縦置き式の近接スイッチ４ｃ，４ｃ（入賞検知手段）も収容されている。
【００２４】
図４に示すように、入賞扉１０は、正面視において左右方向が長手方向となる矩形状の板状形態をなし、入賞口５ａに嵌め込まれて、例えば遊技盤２と平行状で入賞口５ａの下辺に沿って延びる回動軸線Ｏ１周りに回動可能に配置されている。そして、遊技盤２（図１参照）に沿って起立することにより入賞口５ａを閉鎖して遊技球の入賞領域５ｂへの導入を不能とする閉鎖位置（図１参照）と、遊技領域２ｃへ交差状に突出することにより入賞口５ａを開放して遊技球の入賞領域５ｂへの導入を可能とする開放位置（図３参照）とに回動変位する。
【００２５】
具体的には、入賞扉１０は、両側部下端に回動軸線Ｏ１に沿って突出する回動軸１１，１１が設けられており、この回動軸１１，１１が下ケース４ａに回転可能に支持されている。なお、回動軸１１，１１の代わりに軸孔を形成して台板５側から軸支する形態としてもよい。なお、入賞扉１０には、重心が回動軸線Ｏ１よりも前方に位置することにより自重（重心移動）で開放位置に傾倒する自重タイプを用いている。
【００２６】
ソレノイド２０は、入賞扉１０（入賞口５ａ）の左側端部において前後方向に配置され、本体ケース２９から突出する前端部にヘッド部２２が形成されたプランジャ２１と、本体ケース２９とプランジャ２１のヘッド部２２との間に介装された圧縮コイルばね２３（弾発部材）とを有する。ソレノイド２０は、ヘッド部２２を前方側の突出位置と後方側の後退位置とでそれぞれ保持することにより、入賞扉１０を回動軸線Ｏ１周りで回動して閉鎖位置と開放位置とに変位させる。具体的には、通常状態ではソレノイド２０は消磁され、圧縮コイルばね２３がプランジャ２１を突出位置に向けて付勢し、入賞扉１０を閉鎖位置に保持する（変位させる）。一方、大当たり状態ではソレノイド２０は励磁され、圧縮コイルばね２３の付勢力に抗してプランジャ２１が後退位置に移動し、入賞扉１０を開放位置に保持する（変位させる）。
【００２７】
伝達機構３０は、入賞扉１０の左側端部においてプランジャ２１の移動方向に沿って前後方向に配置されている。この伝達機構３０は、入賞扉１０の回動軸線Ｏ１よりも後方においてその回動軸線Ｏ１と平行状に配置された揺動軸線Ｏ２周りで揺動する揺動アーム４０（伝達部材）と、同じく揺動軸線Ｏ２周りで揺動する補助アーム５０（補助部材）とを有する。揺動アーム４０は、ソレノイド２０のプランジャ２１のヘッド部２２が突出位置に変位したとき入賞扉１０を閉鎖位置に変位させ、プランジャ２１のヘッド部２２が後退位置に変位したとき入賞扉１０を開放位置に変位させるように、プランジャ２１の駆動力を入賞扉１０へ直接的に伝達する。補助アーム５０は、主としてプランジャ２１のヘッド部２２が突出位置から後退位置へ移行する過程で、揺動アーム４０による入賞扉１０の開放作動を助勢（加勢；助力）する。
【００２８】
次に、図１、図３及び図４を用いて、以上のような構成を有する入賞装置４の作動について、遊技領域２ｃでの遊技状態と関連させて説明する。
【００２９】
＜通常状態＝閉鎖位置＞（図１）
通常状態（非大当たり状態）では、ソレノイド２０が消磁され、圧縮コイルばね２３がプランジャ２１を突出位置に向けて付勢し、入賞扉１０を閉鎖位置に保持する。したがって、遊技領域２ｃを流下する遊技球は入賞領域５ｂには導入されない。
【００３０】
＜大当たり状態＝開放位置＞（図３，図４）
遊技領域２ｃを流下する遊技球が電チュー８へ入賞すると当否抽選が実行され、その抽選結果が大当たりであると、液晶表示部３に大当たり図柄（例えば、「７，７，７」のゾロ目）が表示される。大当たり状態ではソレノイド２０が励磁され、圧縮コイルばね２３の付勢力に抗してプランジャ２１が後退位置に移動し、入賞扉１０を開放位置に保持する。これによって、遊技領域２ｃを流下する遊技球は入賞領域５ｂに導入されるようになる。
【００３１】
そして、入賞口５ａへの所定個数（例えば１０個）の入賞を近接スイッチ４ｃ，４ｃが検出したとき、又は所定時間（例えば、３０秒）が経過したときに、再びソレノイド２０が消磁され、プランジャ２１のヘッド部２２は後退位置から突出位置へ変位し、入賞扉１０は開放位置から閉鎖位置へ変位する。以上を１ラウンド（１Ｒ）として所定のラウンド数（例えば、１５Ｒ）にわたって入賞扉１０の開閉操作が繰り返され、遊技者はこの間に大量の賞球を獲得することができる。
【００３２】
次に、図５は近接スイッチの取付構造を示す。図５に示すように、下ケース４ａの底壁上面には、誘導壁６１，６１、誘導通路６２，６２及び導出口６３，６３が左右一対ずつ配置され、これらはステージ６０（誘導案内部）として下ケース４ａに射出一体成形されている。
【００３３】
誘導壁６１，６１は、入賞扉１０の後方にて入賞領域５ｂに配置されるとともに、入賞口５ａから導入された遊技球を入賞領域５ｂの左右方向中央寄りに誘導案内するために、ステージ６０の前端部に、中央側ほど後方へ傾斜する左右対称形態で立設されている（図４参照）。
【００３４】
誘導通路６２，６２は誘導壁６１，６１に対応して左右対称に配置されている。この誘導通路６２，６２は、誘導壁６１，６１に沿って左右方向中央寄りに集められた遊技球を合流させて後方へ転動案内するために後方側に行くほど低位となした第一転動面６２ａと、第一転動面６２ａに引き続き遊技球を分岐させて左右の端部方向へ転動案内するために左右方向外側に行くほど低位となし、一部が遊技盤２の厚み内に位置する第二転動面６２ｂ，６２ｂと、第二転動面６２ｂ，６２ｂに引き続き遊技球を後方へ転動案内するために後方側に行くほど低位となした第三転動面６２ｃ，６２ｃとを含む。
【００３５】
導出口６３，６３は、各々の誘導通路６２，６２の末端部（すなわち第三転動面６２ｃ，６２ｃの後端部）に左右対称に形成されるとともに、遊技盤２の直後において上下方向に貫通形成されている。
【００３６】
上記した縦置き式の近接スイッチ４ｃ，４ｃは、各々の誘導通路６２，６２を転動する遊技球を入賞検知する。この近接スイッチ４ｃ，４ｃは、誘導通路６２，６２を横切るように第二転動面６２ｂ，６２ｂと第三転動面６２ｃ，６２ｃとの境界部分に左右対称に立設して配置された遊技球通過検出用開口４ｄ，４ｄを有するとともに、前端部が誘導壁６１，６１の背面側に突入固定されている。
【００３７】
したがって、図４に示す大当たり状態において、入賞扉１０が開放位置に変位したとき、遊技盤２の盤面２ａ上に形成された遊技領域２ｃから入賞口５ａを介して入賞領域５ｂへ導入された遊技球は、誘導壁６１，６１に沿って左右方向中央寄りに集められて誘導通路６２，６２を転動案内される。その間に、転動する遊技球は、縦置き式の近接スイッチ４ｃ，４ｃによって入賞検知され、その後遊技盤２の後方にて導出口６３，６３から外部へ導出される。
【００３８】
具体的には、図４に示すように、近接スイッチ４ｃの遊技球通過検出用開口４ｄの開口端面は、平面視で入賞扉１０及び第二転動面６２ｂに対して直交状に配置されている。すなわち、遊技球通過検出用開口４ｄの軸線Ｏ３（中心線）は、入賞扉１０及び第二転動面６２ｂと平行状に配置されている。これによって、平面視で第二転動面６２ｂを入賞扉１０と平行状に配置することができ、誘導通路６２の前後長さ（奥行き）を短縮しつつその全長を充分に確保して、遊技球の流れを整えてから近接スイッチ４ｃによる入賞検知を円滑に行える。
【００３９】
また、図５（ｂ）に示すように、近接スイッチ４ｃの遊技球通過検出用開口４ｄは、その開口端面が、傾斜した第二転動面６２ｂに対して直立状に立設されている。すなわち、遊技球通過検出用開口４ｄの軸線Ｏ３（中心線）が第二転動面６２ｂと平行状に配置されている。これによって、遊技球通過検出用開口４ｄの軸線Ｏ３（中心線）が第二転動面６２ｂと平行状に配置されるので、第二転動面６２ｂを転動する遊技球を近接スイッチ４ｃの遊技球通過検出用開口４ｄへ受け入れて、円滑に入賞検知することができる。
【００４０】
さらに、図５（ａ）に示すように、第一転動面６２ａは入賞領域５ｂ（図４参照）の左右方向中央寄りに共有形態で配置されるとともに、誘導壁６１，６１、第二転動面６２ｂ，６２ｂ、第三転動面６２ｃ，６２ｃ、導出口６３，６３及び近接スイッチ４ｃ，４ｃは、第一転動面６２ａを挟んでそれぞれ一対ずつ左右対称に配置されている。
【００４１】
このように、一対の誘導壁６１，６１、誘導通路６２，６２、導出口６３，６３及び近接スイッチ４ｃ，４ｃが入賞領域５ｂにおいて左右方向に並設されるので、左右方向が長手方向となるように配置される入賞口５ａ（図４参照）を有する入賞装置４への適用が容易となる。また、左右に並設された一対の誘導通路６２，６２のうち第一転動面６２ａを共有化し、共有化された第一転動面６２ａを挟んで誘導壁、誘導通路６２，６２の第二転動面６２ｂ，６２ｂと第三転動面６２ｃ，６２ｃ、導出口６３，６３及び近接スイッチ４ｃ，４ｃをそれぞれ左右に配置するので、誘導通路６２，６２を広く確保して第一転動面６２ａを中心として左右対称に並設することができる。その際、入賞口５ａから導入された遊技球を共有化された第一転動面６２ａに合流させた後左右の誘導通路６２，６２（第二転動面６２ｂ，６２ｂ及び第三転動面６２ｃ，６２ｃ）に分岐させるので、遊技球の流れを阻害することなく各々の近接スイッチ４ｃ，４ｃで迅速かつ正確に入賞検知することができる。
【００４２】
なお、図４及び図５に示すように、第二転動面６２ｂ，６２ｂの前後方向中心（幅中心）は、遊技球通過検出用開口４ｄ，４ｄの軸線Ｏ３（中心線）とほぼ一致して遊技盤２の厚み内に位置している。したがって、第二転動面６２ｂ，６２ｂ上の遊技球通過検出用開口４ｄ，４ｄは遊技盤２の厚み内には留まらなくなり、遊技球は遊技盤２の厚みから一部はみ出して左右方向に移動することになる。しかし、第二転動面６２ｂに続いて後方傾斜する第三転動面６２ｃが設けられているため、図５（ｃ）に示すように、第二転動面６２ｂを転動する遊技球は第三転動面６２ｃによって遊技盤２後方の導出口６３へ誘導される。
【００４３】
例えば遊技盤２の厚さ変更等により、第二転動面６２ｂ，６２ｂ全体（全幅）を遊技盤２の厚み内に位置させることもできる。この場合には、第二転動面６２ｂ，６２ｂ上の遊技球通過検出用開口４ｄ，４ｄは遊技盤２の厚み内に位置し、遊技球も遊技盤２の厚み内で左右方向に移動することになる。しかし、第三転動面６２ｃの後方傾斜によって遊技球を遊技盤２後方の導出口６３へ確実に誘導できる。
【００４４】
図５に示すように、誘導通路６２，６２の第三転動面６２ｃ，６２ｃの末端から、導出口６３，６３の周囲を取り囲むように周壁６２ｄ，６２ｄを延設すれば、遊技球を導出口６３，６３へさらに円滑に誘導できる。このとき、導出口６３，６３の左右方向中央側の周壁を近接スイッチ４ｃ，４ｃの本体部分で兼用してもよい（図５（ａ），（ｂ）参照）。
【００４５】
また、実施例では近接スイッチについてのみ説明したが、遊技球通過検出用開口を有するものであれば光電スイッチ、赤外線スイッチ、超音波スイッチ、レーザースイッチ等の非接触センサにも適用することが可能である。
【図面の簡単な説明】
【００４６】
【図１】本発明に係る入賞装置を備えたパチンコ機を例示する正面図。
【図２】本発明に係る入賞装置の一例を示す分解斜視図。
【図３】図２の主要部の斜視図。
【図４】図３の一部断面平面図。
【図５】近接スイッチの取付構造を示す平面図、そのＡ−Ａ断面図及びＢ−Ｂ断面図。
【符号の説明】
【００４７】
１        パチンコ機（遊技機）
２        遊技盤
２ａ      盤面
２ｃ      遊技領域
３        液晶表示部
４        入賞装置（遊技機用入賞装置；大入賞装置）
４ｃ      近接スイッチ（入賞検知手段）
４ｄ      遊技球通過検出用開口
５        台板
５ａ      入賞口（大入賞口）
５ｂ      入賞領域
１０      入賞扉（大入賞扉）
１１      回動軸
２０      ソレノイド（駆動手段）
２１      プランジャ
２２      ヘッド部
２３      圧縮コイルばね（弾発部材）
３０      伝達機構
４０      揺動アーム（伝達部材）
５０      補助アーム（補助部材）
６０      ステージ（誘導案内部）
６１      誘導壁
６２      誘導通路
６２ａ    第一転動面
６２ｂ    第二転動面
６２ｃ    第三転動面
６３      導出口
Ｏ１      回動軸線
Ｏ２      揺動軸線
Ｏ３      遊技球通過検出用開口の軸線（中心線）
【図１】
0005123650.tif 000002
【図２】
0005123650.tif 000003
【図３】
0005123650.tif 000004
【図４】
0005123650.tif 000005
【図５】
0005123650.tif 000006